(57)【特許請求の範囲】
【請求項１】
略平板状の屋根瓦本体の軒側の端部に屋根瓦本体に対して略垂直に垂下縁を垂下し、屋根瓦本体の棟側の端部を釘、ビス等の固着具の打入で固定する固定片とし、屋根瓦本体の軒側の下面に先端程棟側に行くように傾斜せる一対の後傾斜リブを略平行に突設すると共に一対の後傾斜リブのうち、棟側に位置する後傾斜リブの突出長さを他方の後傾斜リブより短くし、上記一対の後傾斜リブ間に差し込み溝を形成し、屋根瓦本体の棟側の上面に先端程軒側に行くように傾斜し且つ上記差し込み溝に差し込み係止し得る前傾斜リブを突設して成ることを特徴とする屋根瓦。
【請求項２】
垂下縁の下端を係止し得る位置固定リブを前傾斜リブより軒側の位置で屋根瓦本体の上面に突設して成ることを特徴とする請求項１記載の屋根瓦。
【請求項３】
防水リブを位置固定リブより棟側の位置で屋根瓦本体の上面に突設して成ることを特徴とする請求項２記載の屋根瓦。
【請求項４】
全体を合成樹脂で一体に形成して成ることを特徴とする請求項１乃至請求項３のいずれかに記載の屋根瓦。
【発明の詳細な説明】
【０００１】
【発明の属する技術分野】
本発明は、建物の屋根を葺く屋根瓦の構造に関するものである。
【０００２】
【従来の技術及び発明が解決しようとする課題】
一般の屋根瓦はスレート系材料や陶器系材料にて形成されている。そして屋根面に屋根瓦を葺く場合には、軒先側から順に棟側に向けて葺かれるように施工されるが、このとき屋根瓦の非曝露部である棟側の端部が屋根面に釘、ビス等の固着具にて固着している。ところが、このように屋根瓦の棟側を固着具で固着しているだけのために台風等の強風時に吹き上げを防ぐことができず、破損や屋根面からの剥離が起きる。強風に耐える軒側の固定には屋根瓦の曝露部の表面より直接釘、ビス等の固着具を打入して止める方法も用いられることがあるが、外観を損ねると共に固着具を打入する位置に開口した穴より雨水が入る等の問題を残している。また屋根瓦の瓦面に浸水防止用のリブや溝を配したものもあるが、風雨環境下では浸水防止の効果が少なく、雨水が風により逆流して重ね合わせ部分から浸水して家屋の雨漏れに繋がることがある。
【０００３】
本発明は叙述の点に鑑みてなされたものであって、強風時にも吹き上がらないように強固に取り付けることができると共に雨水が浸入して雨漏りを発生するおそれのない屋根瓦を提供することを課題とする。
【０００４】
【課題を解決するための手段】
上記課題を解決するため本発明の屋根瓦Ａは、略平板状の屋根瓦本体１の軒側の端部に屋根瓦本体１に対して略垂直に垂下縁２を垂下し、屋根瓦本体１の棟側の端部を釘、ビス等の固着具３の打入で固定する固定片４とし、屋根瓦本体１の軒側の下面に先端程棟側に行くように傾斜せる一対の後傾斜リブ５，６を略平行に突設すると共に一対の後傾斜リブ５，６間に差し込み溝７を形成し、屋根瓦本体１の棟側の上面に先端程軒側に行くように傾斜し且つ上記差し込み溝７に差し込み係止し得る前傾斜リブ８を突設して成ることを特徴とする。屋根瓦Ａを屋根面９に葺く場合、軒側から棟側に向けて順に葺いて行くが、屋根瓦Ａは棟側の固定片４が釘、ビス等の固着具３を打入することにより屋根面９に固定される。また軒棟方向に隣り合う屋根瓦Ａ間では軒側に位置する屋根瓦Ａの棟側の上面に棟側に位置する屋根瓦Ａの軒側が重ねられる。このとき棟側に位置する屋根瓦Ａの垂下縁２の下端が軒側の屋根瓦Ａの上面に載置されると共に軒側に位置する屋根瓦Ａの前傾斜リブ８が棟側に位置する屋根瓦Ａの後傾斜リブ５，６間の差し込み溝７に差し込み接続される。このように軒側に位置する屋根瓦Ａの前傾斜リブ８が棟側に位置する屋根瓦Ａの後傾斜リブ５，６間の差し込み溝７に差し込み接続されることにより、棟側に重ねる屋根瓦Ａの軒側が上に浮き上がらないように固定され、台風等の強風時における吹き上げを防ぐことができ、屋根瓦Ａの破損や屋根面９からの剥離を防止でき、また屋根瓦Ａの瓦面から固着具を打入するものでないので外観が悪くなったり、雨水が浸入したりするおそれがない。また垂下縁２で雨水の浸入が防止されると共に前傾斜リブ８や後傾斜リブ５，６にても確実に防水され雨水の浸入を確実に防止することができる。
【０００５】
また上記一対の後傾斜リブ５，６のうち、棟側に位置する後傾斜リブ５の突出長さを他方の後傾斜リブ６より短くして成るので、棟側に位置する屋根瓦Ａを重ねて一対の後傾斜リブ５，６間の差し込み溝７に前傾斜リブ８を差し込むとき棟側に位置する後傾斜リブ５が短くて差し込みやすくて施工性がよい。
【０００６】
また垂下縁２の下端を係止し得る位置固定リブ１０を前傾斜リブ８より軒側の位置で屋根瓦本体１の上面に突設して成ることを特徴とすることも好ましい。棟側に位置する屋根瓦Ａを重ねるとき垂下縁２の下端を位置固定リブ１０に係止させて位置固定できて施工性を向上できる。
【０００７】
また防水リブ１１を位置固定リブ１０より棟側の位置で屋根瓦本体１の上面に突設して成ることを特徴とすることも好ましい。垂下縁２の下端と屋根瓦本体１の上面との間から雨水が浸入しても防水リブ１１にて遮断できて一層雨水の浸入を確実に防止できる。
【０００８】
また屋根瓦Ａ全体を合成樹脂で一体に形成して成ることを特徴とすることも好ましい。屋根瓦Ａを容易に成形できると共に屋根瓦Ａが軽量で取り扱いしやすくなる。
【０００９】
【発明の実施の形態】
屋根瓦Ａは本例の場合、図１や図２に示すように合成樹脂にて一体に形成されており、左右方向に長い大版サイズに形成されている。図１で矢印Ｂ方向が軒側で、矢印Ｃ方向は棟側である。この屋根瓦Ａの屋根瓦本体１は左右に長い矩形の平板状に形成されており、屋根瓦本体１の軒側の端部には屋根瓦本体１に対して垂直方向に突出する垂下縁２を左右方向全長に亙って設けてあり、屋根瓦本体１の棟側の端部は釘、ビス等の固着具３で固着するための固定片４となっている。屋根瓦本体１の軒側の下面には一対の後傾斜リブ５，６を平行に突設してあり、一対の後傾斜リブ５，６間には２〜５ｍｍ程度の隙間を隔てることにより差し込み溝７を形成してある。かかる後傾斜リブ５，６は垂下縁２と平行でなく、先端程棟側に行くように傾斜している。本例の場合、一対の後傾斜リブ５，６は左右方向全長に亙って連続している。また本発明の場合、一対の後傾斜リブ５，６のうち棟側に位置する後傾斜リブ５を軒側に位置する後傾斜リブ６より突出長さを短くしてある。
【００１０】
また屋根瓦本体１の上面の軒側の非曝露部には前傾斜リブ８を突設してあり、前傾斜リブ８が上記差し込み溝７に差し込み得るようになっている。この前傾斜リブ８は後傾斜リブ５，６と平行になるように傾斜している。本例の場合、前傾斜リブ８も左右方向全長に亙って連続している。また屋根瓦本体１の上面には前傾斜リブ８より軒側の位置で位置固定リブ１０を突設してある。かかる位置固定リブ１０が断面略半円状になっている。この位置固定リブ１０より棟側の位置で屋根瓦本体１の上面には左右方向に亙るように防水リブ１１を突設してある。かかる防水リブ１１は断面略直角三角形状になっている。上記位置固定リブ１０と防水リブ１１との間には垂下縁２の厚さ程度の隙間を隔ててある。
【００１１】
また屋根瓦本体１の上面の曝露部には軒棟方向に亙る凹条１３を左右に等間隔に設けてある。また屋根瓦本体１の左右方向の一端には水切り機能のある重合部１４を設けてあり、屋根瓦本体１の左右方向の他端には重合部１４の上に重ね得る被重合部１５を設けてある。
【００１２】
上記のように構成せる屋根瓦Ａは次のように屋根に葺かれる。屋根下地のような屋根面９の上に屋根瓦Ａを葺くとき、軒側から棟側に向けて順次葺かれる。そして各屋根瓦Ａの棟側の固定片４の上面から固定片４を介して屋根面９に釘、ビス等の固着具３を打入することで屋根面９に固定してある。軒棟方向に隣り合う屋根瓦Ａの間では棟側に位置する屋根瓦Ａの軒側が軒側に位置する屋根瓦Ａの棟側の非曝露部の上面に重ねられる。このとき棟側に位置する屋根瓦Ａの垂下縁２の下端が軒側に位置する屋根瓦Ａの位置固定リブ１０と防水リブ１１との間に挿入され、垂下縁２の下端が位置固定リブ１０に係止することで棟側に葺く屋根瓦Ａの位置が位置決めされる。
【００１３】
またこのとき棟側に位置する屋根瓦Ａの後傾斜リブ５，６間の差し込み溝７に軒側の位置する屋根瓦Ａの前傾斜リブ８が差し込まれる。これにより棟側に位置する屋根瓦Ａの軒側が上に浮き上がらないように固定され、台風等の強風時に吹き上がるのを防止でき、屋根瓦Ａの破損や屋根面９からの剥離を防止できる。つまり、図３の矢印Ｄのように風雨が吹き付けたとき図３のＥの矢印のように風による吹き上げ力が働くが、差し込み溝７への前傾斜リブ８の係止にて屋根瓦Ａが浮き上がることがない。また差し込み溝７への前傾斜リブ８の差し込みにて固定しているので瓦面から釘、ビス等の固着具を打入して固定するもののように外観が悪くならないと共に固着具を打入した部分から雨水が浸入しなく、また点検補修の実施の際には着脱を容易にできる。また図３の矢印Ｄのように風雨が吹き付けたとき垂下縁２の下端と屋根瓦Ａの上面との間から雨水が浸入するおそれがあるが、例え浸入しても防水リブ１１にて止水されてそれ以上浸入するのが防止される。またたとえ防水リブ１１を越えても後傾斜リブ５，６と前傾斜リブ８との重なりにてそれ以上雨水が浸入するのが阻止され、雨水の浸入を確実に防止して雨漏りを防止できる。また後傾斜リブ５，６のうち棟側の後傾斜リブ５の方が軒側の後傾斜リブ６より短くなっていることにより、前傾斜リブ８を差し込み溝７に差し込むときに差し込みしやすくて施工性を向上できる。また左右方向に隣り合う屋根瓦Ａの間では一方の屋根瓦Ａの重合部１４に他方の屋根瓦Ａの被重合部１５を重ねることにより接合される。
【００１４】
なお、上記例では後傾斜リブ５，６や前傾斜リブ８を屋根瓦Ａの左右方向の全長に亙って連続的に設けたものについて述べたが、雨水の浸入を防ぐために千鳥状に配した非連続でもよい。また上記例では上記後傾斜リブ５，６や前傾斜リブ８を一箇所に設けるものについて述べたが、固定を強固にし且つ雨水の浸入を防ぐために複数箇所に設けてもよい。
【００１５】
【発明の効果】
本発明の請求項１の発明は略平板状の屋根瓦本体の軒側の端部に屋根瓦本体に対して略垂直に垂下縁を垂下し、屋根瓦本体の棟側の端部を釘、ビス等の固着具の打入で固定する固定片とし、屋根瓦本体の軒側の下面に先端程棟側に行くように傾斜せる一対の後傾斜リブを略平行に突設すると共に一対の後傾斜リブ間に差し込み溝を形成し、屋根瓦本体の棟側の上面に先端程軒側に行くように傾斜し且つ上記差し込み溝に差し込み係止し得る前傾斜リブを突設したので、屋根面に屋根瓦を葺いたとき棟側に位置する屋根瓦の垂下縁の下端が軒側の屋根瓦の上面に載置されると共に軒側に位置する屋根瓦の前傾斜リブが棟側に位置する屋根瓦の後傾斜リブ間の差し込み溝に差し込み接続されるものであって、棟側に重ねる屋根瓦の軒側が上に浮き上がらないように固定され、台風等の強風時における吹き上げを防ぐことができ、屋根瓦の破損や屋根面からの剥離を防止できるものであり、しかも屋根瓦の瓦面から固着具を打入するものでないので外観が悪くなったり、雨水が浸入したりするおそれがないものであり、また垂下縁で雨水の浸入が防止されると共に前傾斜リブや後傾斜リブにても確実に防水され雨水の浸入を確実に防止することができて雨漏りを確実に防止できるものである。
【００１６】
また上記一対の後傾斜リブのうち、棟側に位置する後傾斜リブの突出長さを他方の後傾斜リブより短くしているので、棟側に位置する屋根瓦を重ねて一対の後傾斜リブ間の差し込み溝に前傾斜リブを差し込むとき棟側に位置する後傾斜リブが短くて差し込みやすく、施工性がよいものである。
【００１７】
また本発明の請求項２の発明は、請求項１において、垂下縁の下端を係止し得る位置固定リブを前傾斜リブより軒側の位置で屋根瓦本体の上面に突設しているので、棟側に位置する屋根瓦を重ねるとき垂下縁の下端を位置固定リブに係止させて位置固定できて施工性を向上できるものである。
【００１８】
また本発明の請求項３の発明は、請求項２において、防水リブを位置固定リブより棟側の位置で屋根瓦本体の上面に突設しているので、垂下縁の下端と屋根瓦本体の上面との間から雨水が浸入しても防水リブにて遮断できて一層雨水の浸入を確実に防止できるものである。
【００１９】
また本発明の請求項４の発明は、請求項１乃至請求項３において、全体を合成樹脂で一体に形成したので、屋根瓦を容易に成形できると共に屋根瓦が軽量で取り扱いしやすくなるものである。
【図面の簡単な説明】
【図１】本発明の実施の形態の一例を示す一部切欠せる分解斜視図である。
【図２】同上の施工状態の断面図である。
【図３】同上の動作を説明する断面図である。
【符号の説明】
Ａ  屋根瓦
１  屋根瓦本体
２  垂下縁
３  固着具
４  固定片
５  後傾斜リブ
６  後傾斜リブ
７  差し込み溝
８  前傾斜リブ
９  屋根面
１０  位置固定リブ
１１  防水リブ
【図１】
0003924117.tif 000002
【図２】
0003924117.tif 000003
【図３】
0003924117.tif 000004